(57)【特許請求の範囲】
【請求項１】
楽曲の音を表す音情報を端子から出力する音源装置に着脱自在に接続される携帯式カラオケ装置であって、
外部から音を入力するマイクと、
前記音源装置の端子に接続可能な入力端子を有し、その入力端子を介して音を表す音情報を取り込む取込手段と、
前記マイクにより入力された音と前記取込手段により取り込まれた前記音情報の表す音とを混合する混合手段と、
前記混合手段により混合された音を電波に変換し、その電波を、該電波から音を再生して出力する音出力手段へ送信する音送信手段と、
前記入力端子と接続可能な第２の端子と、
該第２の端子に外部装置が接続された状態では、前記混合手段により混合された音が前記音送信手段に送られるのを禁止して、前記混合手段により混合された音を表す音情報を前記第２の端子から出力する出力切替手段と、
を備えたことを特徴とする携帯式カラオケ装置。
【請求項２】
請求項１に記載の携帯式カラオケ装置において、
前記音送信手段は、前記混合手段により混合された音をラジオで受信可能な電波に変換し、その電波を、前記音出力手段としてのラジオへ送信すること、
を特徴とする携帯式カラオケ装置。
【発明の詳細な説明】
【０００１】
【発明の属する技術分野】
本発明は、携帯式のカラオケ装置に関するものである。
【０００２】
【従来の技術】
従来より、娯楽の一つとしてカラオケが楽しまれているが、最近では、カラオケ店に行かなくてもカラオケを楽しむことができるサービスが行われている。例えば、インターネット上には携帯電話装置を用いてカラオケを行うためのカラオケサイトが存在しており、このカラオケサイトでは、最新のヒット曲を含んだ多数の楽曲についてのカラオケ用データを用意している。そして、携帯電話装置の使用者がこのカラオケ用データを利用するには、まず、携帯電話装置からカラオケサイトに通信するための操作を行い、次に、そのカラオケサイトで所望の楽曲のカラオケ用データを選択して、そのデータを携帯電話装置にダウンロードする。これにより、その携帯電話装置のスピーカから、選択した楽曲の音（伴奏）が流れると共に、その携帯電話装置の画面には、その伴奏に合わせて歌詞が表示される。このように、携帯電話装置の使用者は、場所を問わず手軽にカラオケを楽しむことができた。
【０００３】
【発明が解決しようとする課題】
しかしながら、携帯電話装置のスピーカは、カラオケに使用するには出力が小さいため、楽曲の低音部が十分に再現されず、迫力に欠けるといった不満があった。また、歌声も拡声される訳ではなく、カラオケを本格的に楽しむためには十分なものではなかった。
【０００４】
本発明は、こうした問題に鑑みなされたものであり、カラオケをどこでも本格的に楽しむことができる携帯式カラオケ装置を提供することを目的としている。
【０００５】
【課題を解決するための手段及び発明の効果】
上記目的を達成するためになされた請求項１に記載の携帯式カラオケ装置は、楽曲の音を表す音情報を端子から出力する音源装置に着脱自在に接続されるものである。そして、この携帯式カラオケ装置は、外部から音を入力するマイクを備えており、更に、本装置では、取込手段が、音源装置の端子に接続可能な入力端子を有し、その入力端子を介して音を表す音情報を取り込む。そして更に、混合手段が、マイクにより入力された音と取込手段により取り込まれた音情報の表す音とを混合し、音送信手段が、混合手段により混合された音を電波に変換し、その電波を、該電波から音を再生して出力する音出力手段へ送信する。また、本携帯式カラオケ装置は、入力端子と接続可能な（言い換えれば、音源装置の端子と同じ種類の）第２の端子を備えており、その第２の端子に外部装置が接続された状態では、出力切替手段が、混合手段により混合された音が音送信手段に送られるのを禁止して、混合手段により混合された音を表す音情報を第２の端子から出力する。
【０００６】
このような請求項１の携帯式カラオケ装置によれば、入力端子を音源装置の端子に接続することにより、その音源装置から楽曲の音を取り込んで、その取り込んだ楽曲の音（即ち、伴奏）と、当該装置のマイクにより入力された音（即ち、歌声）とを、別体としての音出力手段で出力させることができる。従って、歌声と伴奏とを大音量で出力させることが可能となり、カラオケをどこでも本格的に楽しむことができる。しかも、この携帯式カラオケ装置では、音出力手段との間に配線を設ける必要がないため、準備に手間がかからず、カラオケを手軽に行うことができる。
また、本携帯式カラオケ装置の構成では、１つの本カラオケ装置（便宜上、第１装置という）の入力端子が音源装置の端子に接続された状態で、その第１装置の第２の端子に、更に、同一構成のもう１つの本カラオケ装置（便宜上、第２装置という）の入力端子が接続されると、第１装置の取込手段により音源装置から取り込まれた音情報の表す楽曲の音が、第１装置の混合手段によって第１装置のマイクにより入力された音と混合され、その混合された音を表す音情報が、第１装置の第２の端子から出力される。そして、その音情報が、第２装置の入力端子を介して第２装置の取込手段により取り込まれ、第２装置の混合手段によって第２装置のマイクにより入力された音と混合され、その混合された音が、音送信手段により電波に変換されて音出力手段へ送信される。
このため、本携帯式カラオケ装置によれば、上記の如く音源装置に第１装置を接続し、更にその第１装置に第２装置を接続することで、音源装置からの楽曲の音と、第１装置のマイクから入力された音と、第２装置のマイクから入力された音とを、別体としての音出力手段で出力させることができる。従って、２つのマイクを用いてデュエットをすることができる。もちろん、本カラオケ装置を更に接続すれば、３つ以上のマイクを用いて多人数でカラオケをすることもできる。
【０００７】
ところで、音送信手段は、請求項２のように、混合手段により混合された音をラジオで受信可能な電波に変換し、その電波を、音出力手段としてのラジオへ送信することが好ましい。ラジオであれば、持ち運びのできる小型のものや音質の良いもの等、数多くの機種が普及しており、また自動車にも装備されていることから、手軽に利用できるからである。
【００１８】
【発明の実施の形態】
以下、本発明が適用された実施形態について、図面を用いて説明する。
まず図１は、第１参考例のカラオケ装置２０を携帯電話装置１０に接続した状態を表す外観図である。
【００１９】
この携帯電話装置１０は、電話番号や画像等を液晶画面に表示する表示器１２と、電話番号や文章等を手動入力するための多数のボタンを有するボタン操作部１４と、外部へ音を出力するスピーカ１６と、外部からの音を入力する通話用マイク１７とを備えている。そして更に、カラオケ装置２０が接続されている部分には、接続された外部装置とデータ通信を行うための外部接続用端子（この例では、１６芯インターフェース）１８を備えており、また図面上、左側の側面上部に当たる位置には、ヘッドホンのプラグを差し込むための端子としてヘッドホンジャック１９を備えている。尚、ヘッドホンジャック１９にヘッドホンを差し込むと、スピーカ１６から出力されるはずの音を表すアナログの電気信号（以下、音信号という）が、ヘッドホンジャック１９から外部に出力される。
【００２０】
また、この携帯電話装置１０は、インターネットへの接続機能を有している。そして、この携帯電話装置１０に本カラオケ装置２０が接続されていない状態（即ち、携帯電話装置１０の本来の使用状態）で、この携帯電話装置１０からインターネット上のサイトに接続するには、携帯電話装置１０の使用者が、接続したいサイトのアドレス（ＵＲＬ）をボタン操作部１４から手動入力して、そのアドレスへの通信を実行させるための操作を行う。これにより、携帯電話装置１０からそのサイトに接続することができる。ここで例えば、所定のカラオケサイトに接続した場合には、そのサイト上で所望の楽曲を選択するための選択番号を手動入力することにより、その楽曲のカラオケ用データを携帯電話装置１０にダウンロードすることができる。
【００２１】
このカラオケ用データは、楽曲の音（伴奏）を表す楽曲データと、その伴奏に対応した映像（例えば、伴奏に対応する部分の歌詞や、楽曲のイメージに合わせた絵柄等）を表す映像データとを含むものであり、携帯電話装置１０は、ダウンロードしたカラオケ用データを数曲分（例えば、３曲分）記憶可能となっている。
【００２２】
そして使用者は、携帯電話装置１０のボタン操作部１４から所定のカラオケ開始操作を行うことにより、カラオケ用データを再生させることができる。即ち、携帯電話装置１０に本カラオケ装置２０が接続されていない状態では、使用者がカラオケ開始操作を行うと、楽曲データが、音信号に変換されてスピーカ１６へ送られ、更にスピーカ１６で実際の音に変換されて外部へ出力される。また、映像データは、所定の映像再生処理が行われることにより、表示器１２に対応した形式の映像信号に変換されて表示器１２に供給される。こうして、スピーカ１６から伴奏が流れると共に、表示器１２にはそれに対応する映像が表示される。
【００２３】
また、この携帯電話装置１０は、外部接続用端子１８に接続された外部装置（この場合は、カラオケ装置２０）から所定のハンズフリー設定コマンドが入力されると、その携帯電話装置１０の動作モードが、通常使用時のモードである通常モードから、ハンズフリーモードに切り替わる。
【００２４】
そして、この動作モードの切り替わりに伴い、携帯電話装置１０の音出力機能部が、スピーカ１６から外部出力に切り替わる。即ち、通常モードでは、音信号がスピーカ１６で音に変換されて外部へ出力されるが、ハンズフリーモードでは、音信号が外部接続用端子１８を介して出力される状態になる。
【００２５】
また同様に、この動作モードの切り替わりに伴い、携帯電話装置１０の音入力機能部が、通話用マイク１７から外部入力に切り替わる。即ち、通常モードでは、外部からの音が通話用マイク１７で音信号に変換されて入力されるが、ハンズフリーモードでは、音信号が外部接続用端子１８を介して入力される状態になる。
【００２６】
こうして、ハンズフリーモードでは、携帯電話装置１０のスピーカ１６と通話用マイク１７とが機能しない状態となる。尚、ハンズフリーモードでは、ボタン操作部１４で手動入力された情報が外部接続用端子１８を介して外部へ出力される。
【００２７】
また、この携帯電話装置１０は、ハンズフリーモードに設定されている状態で、外部接続用端子１８に接続された外部装置から所定のハンズフリー解除コマンドが入力されることにより、或いは外部接続用端子１８に接続されている外部装置が携帯電話装置１０から取り外されることにより、ハンズフリーモードが解除されて通常モードに切り替わる。
【００２８】
尚、この携帯電話装置１０は、何ら特別なものではなく、一般に市販されているものである（例えば、ＮＴＴドコモ社・ｍｏｖａシリーズ等）。
一方、カラオケ装置２０は、図２に示すように、携帯電話装置１０の外部接続用端子１８に接続された状態で携帯電話装置１０とデータの送受信を行うと共に、携帯電話装置１０がハンズフリーモードに設定されている際に外部接続用端子１８から出力される音信号を入力して後述するミキシング部７０へ出力するインターフェース部３０と、所定のカラオケサイトのアドレスを記憶する記憶部４０と、これらを制御する制御部５０とを備えている。そして更に、外部から入力した音を音信号に変換して出力するカラオケ用マイク６０と、カラオケ用マイク６０から入力した音信号とインターフェース部３０から入力した音信号とを混合し、その混合した音信号を出力するミキシング部７０と、ミキシング部７０から入力した音信号を、ラジオで受信再生可能な所定周波数及び変調方式の電波に変換して外部へ送信する送信部８０とを備えている。
【００２９】
尚、インターフェース部３０は、携帯電話装置１０の外部接続用端子（音源装置の端子に相当）１８に差し込むための端子（入力端子に相当）を有している。また、本参考例において、送信部８０は、上記音信号を、ワイヤレスマイク等で使用されるＦＭ７６ＭＨｚの電波に変換して送信する。また更に、図示しないが、このカラオケ装置２０は、電源としての電池を備えている。そして、制御部５０は、カラオケ装置２０が携帯電話装置１０に接続されていないと判断しているときには、携帯電話装置１０に接続されたことを検出可能な機能を残しつつ各構成要素の機能を停止させるスリープ状態となっており、電池の消費電力を最小限に抑えている。そして、制御部５０は、カラオケ装置２０が携帯電話装置１０に接続されたことを検出すると、各構成要素を機能させるために必要な電力を電池から供給させる作動状態に移行する。
【００３０】
次に、制御部５０が行う制御処理について、図３のフローチャートを用いて説明する。尚、この制御処理は、カラオケ装置２０が携帯電話装置１０に接続されることにより（即ち、制御部５０がスリープ状態から作動状態に移行することにより）開始される。
【００３１】
図３に示すように、本制御処理が開始されると、まず、携帯電話装置１０をハンズフリーモードに設定するためのハンズフリー設定コマンドを、携帯電話装置１０へ出力する（Ｓ１００）。これにより、携帯電話装置１０が通常モードからハンズフリーモードに切り替わり、携帯電話装置１０のボタン操作部１４から手動入力された情報を、インターフェース部３０を介して検出可能となる。また、これにより、携帯電話装置１０のスピーカ１６と通話用マイク１７とが機能しない状態となるが、携帯電話装置１０のスピーカ１６から出力されるはずの音を表す音信号は、外部接続用端子１８からインターフェース部３０を介してミキシング部７０に出力される。そして、この音信号はカラオケ用マイク６０から出力される音信号とミキシング部７０で混合された後、送信部８０で電波に変換されて送信される。そのため、このカラオケ装置２０の近くにあるラジオ１の受信周波数を、ＦＭ７６ＭＨｚに合わせれば、カラオケ用マイク６０から入力される音と、携帯電話装置１０から出力される音信号の表す音とが、そのラジオ１から出力されるようになる。
【００３２】
こうして、ステップ１００で携帯電話装置１０をハンズフリーモードに設定した後は、この携帯電話装置１０のボタン操作部１４から「番号列」＋「＃」の形式の情報が入力されるか、或いはこの携帯電話装置１０に電話がかかってきたことを検出するまで待機する（Ｓ１１０：ＮＯ，Ｓ１２０：ＮＯ）。
【００３３】
そして、ステップ１１０において、携帯電話装置１０のボタン操作部１４から、「番号列」＋「＃」の形式の情報が入力されたことを検出すると（Ｓ１１０：ＹＥＳ）、その「番号列」を、カラオケ用の楽曲を選択するための選択番号として認識する。そして、記憶部４０に記憶されているカラオケサイトのアドレスへの通信動作を命令する信号を、携帯電話装置１０に送信する（Ｓ１３０）。これにより、携帯電話装置１０がそのカラオケサイトへの通信動作を行い、携帯電話装置１０とカラオケサイトとが通信可能に接続された状態になる。
【００３４】
そして更に、制御部５０は、ステップ１１０で検出した選択番号を、携帯電話装置１０からカラオケサイトに送信させる（Ｓ１４０）。これにより、その選択番号に対応する楽曲のカラオケ用データがカラオケサイトで選択されて携帯電話装置１０へ送られ、その結果、そのカラオケ用データが携帯電話装置１０にダウンロードされる。つまり、携帯電話装置１０のボタン操作部１４から選択番号が入力された場合には、カラオケサイトからカラオケ用データをダウンロードするために使用者が本来行うべきアドレスの手動入力等の操作を、自動で行うようになっている。
【００３５】
一方、ステップ１２０において、携帯電話装置１０に電話がかかってきたことを検出すると（Ｓ１２０：ＹＥＳ）、ハンズフリー解除コマンドを携帯電話装置１０へ出力することで（Ｓ１５０）、携帯電話装置１０をハンズフリーモードから通常モードに戻す。そして、作動状態からスリープ状態に移行すると共に、本制御処理を終了する。つまり、携帯電話装置１０に電話がかかってきた場合には、この携帯電話装置１０のスピーカ１６と通話用マイク１７とを機能させて、通話可能な状態に戻すと共に、カラオケ装置２０によるカラオケ機能を停止するようになっている。
【００３６】
次に、カラオケ装置２０の使用方法について説明する。
このカラオケ装置２０を用いてカラオケを行いたい場合には、このカラオケ装置２０を携帯電話装置１０に接続する。これにより、制御部５０が作動状態に移行すると共に、前述したステップ１００の処理が行われ、携帯電話装置１０のスピーカ１６から出力されるはずの音を表す音信号が、インターフェース部３０を介してミキシング部７０に出力され、カラオケ用マイク６０から出力される音信号と混合された後、送信部８０で電波に変換されて送信される。そのため、このカラオケ装置２０の近くにあるラジオ１の受信周波数を、ＦＭ７６ＭＨｚに合わせれば、カラオケ用マイク６０から入力される音と、携帯電話装置１０から出力される音信号の表す音とが、そのラジオ１から出力されるようになる。
【００３７】
よって、この状態では、携帯電話装置１０に既に記憶されているカラオケ用データを用いて、カラオケを行うことができる。即ち、携帯電話装置１０のボタン操作部１４からカラオケ開始操作を行うことにより、そのカラオケ用データを再生させると、携帯電話装置１０の表示器１２に映像が表示されると共に、携帯電話装置１０の外部接続用端子１８から楽曲の音信号がインターフェース部３０へと出力される。そして、その楽曲の音信号が、インターフェース部３０，ミキシング部７０を経由した後、送信部８０で電波に変換されて送信されるため、ラジオ１のスピーカから伴奏が流れる。このため、カラオケ用マイク６０に向かって歌えば、その歌声が伴奏と共にラジオ１のスピーカから出力される。
【００３８】
ここで、携帯電話装置１０にカラオケ用データが全く記憶されていない場合や、携帯電話装置１０に記憶されていない楽曲について歌いたい場合には、例えば、そのカラオケサイトに用意されている楽曲のタイトル及びそれに対応する選択番号が記載された検索本を用いて、所望の楽曲に対応する選択番号を探し、携帯電話装置１０のボタン操作部１４から「選択番号」＋「＃」という形式で手動入力する。これにより、前述したステップ１３０，１４０の処理が行われ、その楽曲に対応するカラオケ用データがそのカラオケサイトから携帯電話装置１０にダウンロードされる。
【００３９】
一方、カラオケを行っている最中に携帯電話装置１０に電話がかかってきた場合には、前述したステップ１５０の処理が行われると共に、カラオケ機能が停止して、携帯電話装置１０で通話可能な状態となる。
また、このように電話がかかってこなくても、カラオケを終了したい場合には、カラオケ装置２０を携帯電話装置１０から取り外す。これにより、携帯電話装置１０は、ハンズフリーモードが解除されて通常モードに切り替わる。一方、カラオケ装置２０は、制御部５０がスリープ状態となって、その機能が停止する。
【００４０】
尚、第１参考例では、カラオケ用マイク６０が、各請求項のマイクに相当し、インターフェース部３０と、図３におけるステップ１００の処理とが、取込手段に相当する。また、ミキシング部７０が混合手段に相当し、送信部８０が音送信手段に相当する。
【００４１】
このような第１参考例のカラオケ装置２０によれば、カラオケ用マイク６０により入力された歌声と、携帯電話装置１０から取り込んだ伴奏とを、ラジオ１で出力させることができるため、歌声と伴奏とを大音量で出力させることが可能となる。従って、携帯電話装置１０を用いてカラオケをどこでも本格的に楽しむことができる。しかも、このカラオケ装置２０では、ラジオ１との間に配線を設ける必要がないため、準備に手間がかからず、カラオケを手軽に行うことができるという利点を損なわない。
【００４２】
そして、カラオケに用いるラジオ１としては、持ち運びのできる小型のものや音質の良いもの等、数多くの機種が普及しているため、利用状況に合うものを適宜用いることができる。特に、自動車に装備されているラジオを利用すれば、持ち運び用のラジオをわざわざ用意する必要がなく、また、スピーカの音質もよいため、複数の仲間でドライブに出かけた場合などに、車内で本格的にカラオケを楽しむことができる。
【００４３】
しかも、使用者は、携帯電話装置１０のボタン操作部１４から所望の楽曲の選択番号を手動入力するだけで、その楽曲のカラオケ用データをカラオケサイトからダウンロードすることができるため、面倒な入力操作を行う必要がなく、手軽さを損なわない。
【００４４】
また、カラオケを行っている際に携帯電話装置１０に電話がかかってきた場合には、カラオケ機能が停止して、通話可能な状態にするため、使い勝手がよい。加えて、携帯電話装置１０が有する音量調整機能により、カラオケ装置２０に取り込まれる音信号のボリュームを調整することで、カラオケ用マイク６０から入力される歌声との音量のバランスを調整することができる。従って、歌声と伴奏との音量のバランスを調整するための構成を特に設ける必要がない。
【００４５】
次に、第２参考例のカラオケ装置９０について、図４〜図６を用いて説明する。尚、図４，図５において、第１参考例の場合（図１，図２）と同じ構成要素については、同一の符号を付しているため、その説明を省略する。また、携帯電話装置１０は、外部接続用端子１８から所定の映像出力切替信号が入力されると、カラオケ用データの内の映像データに対して前述の映像再生処理を行わずに、その映像データを外部接続用端子１８から外部へ出力するようになっている。
【００４６】
図１，図２に示すように、このカラオケ装置９０には、手動によりオン／オフを切り替え可能な映像スイッチ１００が設けられている。
また、インターフェース部１１０は、第１参考例のインターフェース部３０の機能に加え、更に、携帯電話装置１０の外部接続用端子１８から映像データが出力された場合にその映像データを入力して制御部１２０へ出力する機能を有している。
【００４７】
そして、制御部１２０は、第１参考例の制御部５０の機能に加え、更に、インターフェース部１１０から入力した映像データに対し、携帯電話装置１０で行われる前述の映像再生処理と同じ処理を行って、該映像データをそのデータが表す映像を表示するための映像信号に変換し、その信号を送信部１３０へ出力するようになっている。
【００４８】
そして、送信部１３０は、第１参考例の送信部８０の機能に加え、更に、制御部１２０からの映像信号を、例えば自動車用ナビゲーション装置２で受信再生可能な所定周波数及び変調方式の電波に変換して、送信する機能を有している。尚、ナビゲーション装置２は、携帯電話装置１０の表示器１２と同じ形式の映像信号で映像の表示を行う表示装置（表示器１２より大きい表示画面のもの）を備えている。
【００４９】
次に、制御部１２０が行う制御処理について、図６のフローチャートを用いて説明する。この制御処理は、第１参考例の制御処理（図３）に、ステップ３００，３１０の処理が追加されたものであり、第１参考例と同一の処理については、同一のステップ番号を付しているため、その説明を省略する。
【００５０】
図３に示すように、ステップ１００でハンズフリー設定コマンドを携帯電話装置１０へ出力した後、映像スイッチ１００がオンされているか否かを判断する（Ｓ３００）。ここで、映像スイッチ１００がオンされていないと判断した場合には（Ｓ３００：ＮＯ）、そのままステップ１１０へ移行するため、以下の処理は第１参考例と全く同様となる。
【００５１】
一方、ステップ３００で映像スイッチ１００がオンされていると判断した場合には（Ｓ３００：ＹＥＳ）、前述の映像出力切替信号を、携帯電話装置１０に送信する（Ｓ３１０）。
これにより、携帯電話装置１０の表示器１２で表示されるはずの映像を表す映像データが、携帯電話装置１０の外部接続用端子１８から、インターフェース部１１０を介して制御部１２０に出力される状態となる。そして、制御部１２０がその映像データを映像信号に変換して送信部１３０へ送信することとなり、この映像信号が送信部１３０で電波に変換されて送信される。そのため、カラオケ装置９０の近くにナビゲーション装置２があれば、ナビゲーション装置２が上記電波を受信して、その電波を映像信号に変換すると共に、その映像信号をナビゲーション装置２の表示装置に供給して、映像を表示させる。よって、携帯電話装置１０の表示器１２で表示されるはずの映像が、そのナビゲーション装置２で表示されるようになる。尚、この状態では、携帯電話装置１０の表示器１２が機能しない。
【００５２】
次に、カラオケ装置９０の使用方法について説明する。
このカラオケ装置９０を用いてナビゲーション装置２（詳しくは、ナビゲーション装置２の表示装置）に映像を表示させつつカラオケを行いたい場合には、このカラオケ装置９０を、その映像スイッチ１００をオンに設定した状態で、携帯電話装置１０に接続する。
【００５３】
これにより、制御部１２０が作動状態に移行すると共に、前述したステップ１００の処理が行われ、カラオケ用マイク６０から入力される音と、携帯電話装置１０から出力される音信号の表す音とが、ラジオ１から出力できるようになると共に、前述したステップ３１０の処理により、映像がナビゲーション装置２に表示できるようになる。そして、この状態で、携帯電話装置１０のボタン操作部１４からカラオケ開始操作を行うことにより、第１参考例と同様に、ラジオ１のスピーカから伴奏が流れ、更に、ナビゲーション装置２に映像が表示されるようになる。以下の使用方法については、第１参考例と同様である。
【００５４】
尚、第２参考例では、送信部１３０が音送信手段に相当する。
【００５５】
このような第２参考例のカラオケ装置９０によれば、第１参考例と同様の効果に加え、更に、携帯電話装置１０から取り込んだ映像を、ナビゲーション装置２で表示させることができるため、映像を携帯電話装置１０の表示器１２に比べ、大きな画面で表示させることが可能となる。従って、より本格的にカラオケを楽しむことができる。しかも、このカラオケ装置９０では、ナビゲーション装置２との間に配線を設ける必要がないため、準備に手間がかからず、カラオケを手軽に行うことができるという利点を損なわない。
【００５６】
加えて、このカラオケ装置９０では、映像スイッチ１００により映像の表示先を選択することができるため、ナビゲーション装置２が近くにある場合には、それを利用し、ナビゲーション装置２がない場合には、携帯電話装置１０の表示器を用いるというように、利用状況に合わせて使用することができる。
【００５７】
尚、第２参考例では、カラオケ装置９０に設けられた映像スイッチ１００により、携帯電話装置１０の表示器１２で映像を表示させるか、或いはナビゲーション装置２で映像を表示させるかを選択できるようにしたが、これ以外の方法で選択できるようにしてもよい。例えば、こういったスイッチを設けず、携帯電話装置１０のボタン操作部１４からの入力操作により選択できるようにしてもよい。また、こういった選択を行えるようにせず、常にナビゲーション装置２で映像を表示させるようにしてもよい。
【００５８】
また、第２参考例では、送信部１３０が、制御部１２０で処理された映像信号を、ナビゲーション装置で受信再生可能な電波に変換して送信しているが、これに限らず、ナビゲーション装置以外の装置に受信させるようにしてもよい。例えば、テレビで受信再生可能な変調方式及び周波数（具体的には、振幅負変調，９０ＭＨｚ）の電波に変換して送信することで、テレビに受信させるようにしてもよい。また、所定の変調方式、周波数の電波から映像を再生して出力する専用の装置を用いてもよい。
【００５９】
ところで、上記第１，第２参考例では、携帯電話装置１０の外部接続用端子１８に接続する構成としたが、これに限ったものではない。例えば、カラオケサイトへの通信動作を携帯電話装置１０に命令する機能や、携帯電話装置１０から映像データを取り込む機能を必要としないのであれば、携帯電話装置１０やその他の音楽再生用装置（例えば、カセットテープ，ＣＤ，ＭＤ等を再生可能なヘッドホンステレオ）に設けられているヘッドホンジャック（音源装置の端子に相当）に接続する構成にしてもよい。
【００６０】
そこで次に、第３参考例として、そのようなヘッドホンジャックに接続する構成の携帯式カラオケ装置１４０について、図７を用いて説明する。
図７に示すように、本第３参考例の携帯式カラオケ装置１４０は、第１参考例のカラオケ装置２０に比べ、記憶部４０及び制御部５０を有しておらず、また、インターフェース部１５０の構成が異なる。即ち、本携帯式カラオケ装置１４０のインターフェース部１５０は、ヘッドホンジャック１９に差し込むためのプラグ（入力端子に相当）１５１ａを先端に有するプラグ付コード１５１により外部と接続するようになっている。尚、本参考例では、インターフェース部１５０と、プラグ付コード１５１と、プラグ１５１ａとが、取込手段に相当している。
【００６１】
このような構成により、このプラグ付コード１５１のプラグ１５１ａを携帯電話装置１０のヘッドホンジャック１９に差し込むと、携帯電話装置１０のスピーカ１６から出力されるはずの音を表す音信号が、プラグ付コード１５１を介してインターフェース部１５０に送られる。そして、この音信号は、第１参考例の場合と同様に、カラオケ用マイク６０から出力される音信号とミキシング部７０で混合された後、送信部８０で電波に変換されてラジオ１に送信される。
【００６２】
従って、携帯電話装置１０のボタン操作部１４からカラオケ開始操作を行うことにより、第１参考例の場合と同様に、ラジオ１のスピーカから伴奏が流れる。そして、カラオケ用マイク６０に向かって歌えば、その歌声が伴奏と共にラジオ１のスピーカから出力される。
【００６３】
また、複数のマイクを用いてカラオケを行うことができれば、デュエットすることができるため、更に楽しむことができるようになる。
そこで、このような要求を満たすことができる装置として、実施形態の携帯式カラオケ装置１６０について説明する。
【００６４】
図８に示すように、本実施形態の携帯式カラオケ装置１６０は、図７に示す携帯式カラオケ装置１４０に対して、ジャック（第２の端子に相当）Ｊと、出力切替部（出力切替手段に相当）１７０とを追加して備えている。
ジャックＪは、プラグ１５１ａが差し込まれる形状のもので、言い換えれば、携帯電話装置１０のヘッドホンジャック１９と同じ種類のものである。
【００６５】
出力切替部１７０は、ミキシング部７０から送信部８０への音信号の伝達経路に設けられており、ジャックＪに外部からプラグが差し込まれていない状態では、ミキシング部７０から送られてくる音信号を送信部８０へ出力するが、ジャックＪに外部からプラグが差し込まれている状態では、ミキシング部７０から送られてくる音信号を送信部８０へ出力しないようにして、その音信号をジャックＪから外部へ出力する。
【００６６】
従って、この携帯式カラオケ装置１６０を複数接続して繋げれば、複数のカラオケ用マイク６０からの音声を混合してラジオ１で出力させることができるようになる。
即ち、図８のように、携帯電話装置１０のヘッドホンジャック１９に携帯式カラオケ装置１６０（以下、第１装置１６０という）のプラグ１５１ａを差し込んで接続し、更に、その第１装置１６０のジャックＪに、同一構成の携帯式カラオケ装置１６０（以下、第２装置１６０という）のプラグ１５１ａを差し込んで接続した状態では、携帯電話装置１０のヘッドホンジャック１９から出力される音信号ａが、第１装置１６０のインターフェース部１５０に入力され、更に、その第１装置１６０のカラオケ用マイク６０から送られる音信号ｂとミキシング部７０で混合されて、その混合された音信号ａ＋ｂが該第１装置１６０の出力切替部１７０から第２装置１６０のインターフェース部１５０に出力される。そして、その音信号ａ＋ｂが、第２装置１６０のカラオケ用マイク６０から送られる音信号ｃとミキシング部７０で混合されて、その混合された音信号ａ＋ｂ＋ｃが、出力切替部１７０から送信部８０に送られ、電波に変換されてラジオ１に送信される。従って、ラジオ１からは、携帯電話装置１０から送られる音信号ａと、第１装置１６０のカラオケ用マイク６０から送られる音信号ｂと、第２装置１６０のカラオケ用マイク６０から送られる音信号ｃとが混合された音信号ａ＋ｂ＋ｃの表す音が出力される。
【００６７】
よって、このように接続すれば、２人でデュエットすることができる。もちろん、本装置１６０を３段以上接続すれば、更に多人数でカラオケを楽しむこともできる。
以上、本発明の一実施形態について説明したが、本発明は、種々の形態を採り得ることは言うまでもない。
【００６８】
例えば、上記各参考例及び実施形態では、送信部８０（又は、送信部１３０）が、ミキシング部７０で混合された音信号を、ラジオで受信再生可能な電波に変換して送信しているが、これに限らず、ラジオ以外の装置に受信させるようにしてもよい。例えば、所定の変調方式、周波数の電波から音を再生して出力する専用の装置を用いてもよい。
【００６９】
また、上記第１，第２参考例では、ハンズフリーモードに設定されることで音出力機能部がスピーカ１６から外部出力に切り替わる携帯電話装置１０を接続対象として説明したが、このような携帯電話装置に限られるものではない。例えば、こうしたハンズフリー設定コマンドを与えなくても音信号を外部へ出力させることができる携帯電話装置を接続対象とするならば、こうしたコマンドを出力する処理（図３，図６におけるステップ１００，１５０の処理）を不要としてもよい。
【００７０】
また、上記第１，第２参考例のカラオケ装置２０，９０は、携帯電話装置１０から、楽曲の音を表す音情報としてアナログの音信号を取り込んでいたが、携帯電話装置１０が、こうした音情報としてデジタルの楽曲データを出力するものであれば、インターフェース部３０，１１０にデジタルの楽曲データをアナログの音信号に変換する機能を持たせて、その変換後の音信号をミキシング部７０へ出力させるようにすればよい。
【００７１】
また、上記第１，第２参考例において、カラオケサイトに接続した際に、そのカラオケサイトが使用者の認証を行うようにしてもよい。このようにすれば、各使用者毎にカラオケ用データのダウンロード料金（例えば、１曲につき１０円）を管理する場合等に便利である。そして、こうした認証としては、ユーザ名とパスワードを打ち込むといった方法が一般的であるが、これに限らず、例えば、カラオケ装置２０，９０の記憶部４０に、各カラオケ装置毎に固有のＩＤを予め記憶させておき、カラオケサイトがこのＩＤに基づいて認証を行うようにしてもよい。
【００７２】
つまり、このカラオケ装置を用いてカラオケサイトに接続した際に、カラオケ装置が当該装置のＩＤをカラオケサイトに送信するようにする。ここで、このＩＤが、第三者により解読されて不正使用されないようにするため、このＩＤをＩＤ以外の情報と組み合わせて暗号化して送信することが考えられる。そして、このＩＤ以外の情報として、カラオケ装置に接続される携帯電話装置の情報（例えば、携帯電話装置の電話番号や製造番号等）を用い、カラオケサイトで、この携帯電話装置の情報とＩＤとを組み合わせた情報を認証するようにすれば、そのカラオケ装置に対して、カラオケ用データのダウンロードに使用できる携帯電話装置を１つに限定することも可能となる。そして、このようにすれば、同一の使用者に対して、過去に１度でもダウンロードしたことのある楽曲のカラオケ用データについては、何度でも無料でダウンロードできるといったサービスを提供しても、１つのカラオケ装置を用いて複数の携帯電話装置に同一のカラオケ用データが無料でダウンロードされてしまうといった心配がない。
【図面の簡単な説明】
【図１】第１参考例のカラオケ装置を携帯電話装置に接続した状態を表す外観図である。
【図２】第１参考例のカラオケ装置の内部構成を表すブロック図である。
【図３】第１参考例のカラオケ装置の制御部が行う制御処理を表すフローチャートである。
【図４】第２参考例のカラオケ装置を携帯電話装置に接続した状態を表す外観図である。
【図５】第２参考例のカラオケ装置の内部構成を表すブロック図である。
【図６】第２参考例のカラオケ装置の制御部が行う制御処理を表すフローチャートである。
【図７】第３参考例のカラオケ装置の説明図である。
【図８】  実施形態のカラオケ装置の説明図である。
【符号の説明】
１…ラジオ、  ２…ナビゲーション装置、  １０…携帯電話装置、
１２…表示器、  １４…ボタン操作部、  １６…スピーカ、
１７…通話用マイク、  １８…外部接続用端子、  １９…ヘッドホンジャック、
２０，９０…カラオケ装置、
３０，１１０…インターフェース部、  ４０…記憶部、
５０，１２０…制御部、  ６０…カラオケ用マイク、  ７０…ミキシング部、
８０，１３０…送信部、  １００…映像スイッチ、
１４０，１６０…携帯式カラオケ装置、  １５１…プラグ付コード、
１５１ａ…プラグ、  １７０…出力切替部、  Ｊ…ジャック
【図１】
0003568491.tif 000002
【図２】
0003568491.tif 000003
【図３】
0003568491.tif 000004
【図４】
0003568491.tif 000005
【図５】
0003568491.tif 000006
【図６】
0003568491.tif 000007
【図７】
0003568491.tif 000008
【図８】
0003568491.tif 000009